(57)【特許請求の範囲】
【請求項１】
光学系装置および対物レンズならびにそれらの駆動装置を備えたアクチュエータ部が配置され、シャーシに対して平行移動する光学ベースと、その周囲を覆う対物レンズ用窓が設けられた光学系保護カバーとで構成される光ピックアップを用いたディスク記録再生装置において、
ディスク記録再生装置のシャーシ１に、シャッター回動要素を備えた回転軸９１を立設し、該回転軸９１にシャッター９を回動可能に装着して、光ピックアップの光学ベースの移動に伴ってシャッターが前記回転軸を回転中心軸として回動し、対物レンズ１５を開閉するようにしたシャッター機構を有するとともに、前記回転軸９１は光ピックアップ１０の光学ベース７の端部と当接してシャッター９の回動動作を行わせるガイド突起９２と、シャッター９の回動を規制するストッパー９３と、前記ガイド突起９２の対向側に配置したスプリング懸止部９５からなるシャッター回動要素を備え、前記ストッパー９３に当接してシャッター９の回動停止位置を規制するためのストッパー１１とスプリング懸止部１２とをシャーシ１に設け、回転軸に設けたスプリング懸止部９５とシャーシ１に設けたスプリング懸止部１２との間にスプリング１６が懸架されており、光ピックアップ１０の光学ベースの移動に伴ってスプリングの付勢によりシャッター９が対物レンズ１５を開閉するように構成したことを特徴とするディスク記録再生装置。
【発明の詳細な説明】
【０００１】
【発明の属する技術分野】
本発明は、ＣＤやＤＶＤ等の光学ディスクを使用し、光ピックアップにより再生または記録と再生を行なうディスク記録再生装置に関し、上記ディスク記録再生装置における光ピックアップの対物レンズ保護用のシャッター機構を備えたディスク記録再生装置に関する。
【０００２】
【従来の技術】
従来一般に汎用されているディスク記録再生装置としては、例えば、図５〜図７に示すものがある。このようなディスク記録再生装置には、図６に示すように、光ピックアップ１０の移動を案内するガイドシャフト５と、光ピックアップ１０の送り機構２と、ディスクを搭載して回転させるターンテーブル３と、光ピックアップ１０の位置検出スイッチ（図示せず）が設けられている。光ピックアップ１０は、光学系装置および対物レンズ１５ならびにその駆動機構を備えたアクチュエータ部（図示せず）を配置する光学ベース７、その周囲を覆う光学系保護カバー８で構成されており、該光学系保護カバー８には対物レンズ１５の窓部８１が設けられている。
【０００３】
上記光ピックアップ１０の光学ベース７は、直線ギア２３を備えた送り機構２のラック部４と一体に固定されており、ラック部４はガイドシャフト５に摺動して移動するように設けられている。送り機構２は駆動用モーターの回転によってシャーシ１と水平に回転するギヤ２０、２１，２２、およびギヤ２２の軸に設けられた図示されないギヤ２４を備えており、ギヤ２４とラック部４の直線ギア２３とが噛み合うように構成され、駆動用モーターにより各ギヤが回転しこれに伴って光ピックアップ１０がガイドシャフト５に沿って平行移動する構造となっている。
【０００４】
また図５に示すように、光ピックアップ１０と、送り機構２のギヤ部分およびラック部４に塵や埃等の侵入するのを防ぎ保護するためにメカ部分を覆う保護カバー６が設けられており、該保護カバー６には、対物レンズ１５の移動する軌跡にあわせた長穴６１が設けられている。
【０００５】
ディスク記録再生装置は、ディスクの記録再生開始時には光ピックアップの位置を検出し、すなわち光ピックアップがディスクの内周位置（ターンテーブル側）にあることを確認したのち、ディスクの情報を読み込み記録再生を開始する構成になっている。ディスク内情報の記録再生終了時には、光ピックアップを再びターンテーブル側に移動し位置検出が可能な状態となる。
【０００６】
このような記録再生装置においては、光ピックアップ１０の光学系保護カバー８には、図６、図７に示すように、対物レンズ１５用の窓部８１が設けられており、また図５に示すように、光ピックアップおよび送り機構部分へ外部から塵や埃の侵入を防ぐための保護カバー６が装着されており、該保護カバー６には光ピックアップの移動に伴って対物レンズ１５によるディスク内の情報を読み込むための長穴６１が設けてある。このために埃や塵の多い環境下では、記録再生時以外に上記の窓から埃や塵等が侵入して対物レンズに付着し、記録再生に支障をきたすことがある。
【０００７】
対物レンズへの埃や塵の侵入を防止する方法として、例えば、特開平６−２５９７９７号には、対物レンズの保護レバー（シャッター）を回動自在に取付けた軸ピンに弾性部材を取付け、その自由端側が保護レバーに設けられたストッパーに当接してスナップ動作するようにした体物レンズ保護装置が示されている。
また、図８〜図１０に示すような構造の対物レンズを覆うシャッター機構が知られている。図８はシャッター機構を有するディスク記録再生装置の斜視図（シャッターが開放された状態を示す）、図９は上面図（シャッターが閉鎖された状態を示す）、図１０はシャッター部の部分拡大図（シャッターが閉鎖された状態を示す）をそれぞれ示す。
【０００８】
図８〜図１０に示されるシャッター機構は、光ピックアップ１０における光学ベース７に設置されており、常に光ピックアップ１０と共に移動する構造となっている。すなわち、図８〜図１０に示すシャッター機構は、光ピックアップ１０の光学ベース７に設けられた軸受（図示せず）に、回転軸３１を装着しシャッター３０が回動可能に設けられており、シャッター３０の回転軸側の一端は軸に沿って脚部３２が形成され、該脚部下端部にはシャッター３０の回動を規制するストッパー３３が、該脚部の上部にはスプリング懸止部３５がそれぞれ設けられており、脚部上部に設けられたスプリング懸止部３５と光学系保護カバー８に設けられたスプリング懸止部８２との間にスプリング１６が懸架されてシャッター３０の回転方向を付勢するように構成されている。
【０００９】
シャッター３０の他端は円弧状に形成され、該円弧には断面形状がコ字型のガイド部３４が形成されている。光学系保護カバー８の外縁部にはシャッター３０の回動を案内する案内部８３が回転軸３１を同心として扇形状に形成され、前記案内部の一端にはシャッターの回動停止位置を規制するストッパー部８４が設けられている。  シャッター３０の他端に形成したガイド部３４はコ字型の溝部が案内部８３を挟むような形で摺動可能に係合しており、シャッター３０は前記案内部の扇形に沿って摺動し、前記案内部８３に設けられたストッパー部８４に前記ガイド部３４が当接することによって対物レンズ１５を開放状態に維持する構成となっている。
【００１０】
このシャッター機構の実際の作動は、ディスクの記録再生を開始する前には、光ピックアップ１０がディスクの最内周側、すなわち、ターンテーブル３側に在る状態となっている。この状態では、シャッター３０は対物レンズ１５を閉鎖する位置で静止している。すなわち、脚部３２の下部に設けられたストッパー３３がディスク記録再生装置のシャーシ１に設けられたストッパー１１に当接するとシャッター３０の脚部３２に設けられたスプリング懸止部３５と保護カバー８の側端部に設けられたスプリング懸止部８２との間に懸架されたスプリング１６は、その付勢力に反してスプリング懸止部３５側に引っ張られ、その結果、シャッター３０は時計方向に回動して対物レンズ１５を閉鎖する位置で静止状態を保つこととなる（図９、図１０）。
【００１１】
ついで、ディスクの有無を確認後、記録再生が行なわれるが、ディスクに記録された情報を読み取るために、光ピックアップ１０の送り機構２の駆動により光ピックアップ１０が移動することに伴ってシャッター３０の脚部３２に設けられたストッパー３３が、ディスク記録再生装置のシャーシ１に設けられたストッパー１１より外れ、スプリング１６の付勢によってシャッター３０が開放状態となって記録再生が可能となる。
【００１２】
ディスク内の情報の読込み（記録）、再生が終了すると、上記の記録再生開始と逆の経路をたどり光ピックアップ１０がターンテーブル３側（すなわちディスクの最内周側）に送られてシャッター３０が対物レンズ１５を閉じ、その状態を維持しディスクの記録再生が終了する。したがって、記録再生状態以外では、光ピックアップの対物レンズは常にシャッターにより塵や埃等から遮断されているので塵や埃等の多い環境下でも問題なく使用が可能である。
【００１３】
【発明が解決しようとする課題】
しかしながら、上記のような構造に構成されたシャッター機構では、光ピックアップ１０の光学系保護カバー８の外縁部に扇形状の案内部８３を設け、該案内部に沿ってシャッターが回動移動する機構となっているので光ピックアップ自体の外形寸法が大きくなっている。すなわち、図９に示すように、ターンテーブル３の中心からシャッター３０の円弧に形成されたガイド部３４の外形までの寸法（Ｌ）が、ターンテーブル３の中心から保護カバー６の光学系部分内壁までの寸法（Ｌ０）より大きく（Ｌ＞Ｌ０）なり、ディスク記録再生装置の保護カバーの形状、大きさの変更が必要となる。これに伴って、ディスク記録再生装置を設置するキットの大きさや形状等の設計変更が必要となる等の不都合があった。
【００１４】
本発明は、シャッター機構を備えた従来のディスク記録再生装置における保護カバーの大きさや形状の変更に伴う上記の問題点を解決し、ディスク記録再生装置における保護カバーの大きさや形状の変更を必要としないシャッター機構を備えたディスク記録再生装置を提供するものである。
【００１５】
【課題を解決するための手段】
すなわち、本発明は、（１）光学系装置および対物レンズならびにそれらの駆動装置を備えたアクチュエータ部が配置され、シャーシに対して平行移動する光学ベースと、その周囲を覆う対物レンズ用窓が設けられた光学系保護カバーとで構成される光ピックアップを用いたディスク記録再生装置において、
ディスク記録再生装置のシャーシ１に、シャッター回動要素を備えた回転軸９１を立設し、該回転軸にシャッター９を回動可能に装着して、光ピックアップの光学ベースの移動に伴ってシャッターが前記回転軸を回転中心軸として回動し、対物レンズ１５を開閉するようにしたシャッター機構を有することを特徴とするディスク記録再生装置に関する。
【００１６】
（２）シャッター回動要素は、シャッター９の回動動作を行なわせるためのガイド突起９２と前記シャッター９の回動動作を規制するためのストッパー９３と、シャッター９の回動を付勢するスプリング１６と、前記スプリングを懸止するスプリング懸止部９５とで構成されてなることを特徴とする上記（１）記載のディスク記録再生装置に関する。
【００１７】
（３）シャッター機構は、シャーシ１に立設された回転軸９１にシャッター９が回動可能に装着されており、該回転軸９１は光ピックアップ１０の光学ベース７の端部と当接してシャッター９の回動動作を行わせるガイド突起９２と、シャッター９の回動を規制するストッパー９３と、前記ガイド突起９２の対向側に配置したスプリング懸止部９５からなるシャッター回動要素を備え、前記ストッパー９３に当接してシャッター９の回動停止位置を規制するためのストッパー１１とスプリング懸止部１２とをシャーシ１に設け、回転軸に設けたスプリング懸止部９５とシャーシ１に設けたスプリング懸止部１２との間にスプリング１６が懸架されており、光ピックアップ１０の光学ベースの移動に伴ってスプリングの付勢によりシャッター９が対物レンズ１５を開閉するように構成したことを特徴とする上記（１）記載のディスク記録再生装置に関する。
【００１８】
【発明の実施の形態】
以下、本発明を図面により詳細に説明する。
図１〜図４は、本発明に係るシャッター機構を備えたディスク記録再生装置の一例を示す。図１、図３は斜視図を示し、図２は上面図を示し、図１、図２はシャッターが対物レンズを閉鎖した状態を、図３はシャッターが対物レンズを開放した状態を示す。図４は、本発明のシャッター機構部の部分拡大図を示す。
【００１９】
本発明のディスク記録再生装置は、光ピックアップを用いたディスク記録再生装置において、ディスク記録再生装置のシャーシ１に、シャッター回動要素を備えた回転軸９１を立設し、該回転軸にシャッター９を回動可能に装着して、光ピックアップの光学ベースの移動に伴ってシャッターが前記回転軸を回転中心軸として回動し、対物レンズ１５を開閉するようにしたシャッター機構を有することを特徴とするものである。
【００２０】
本発明における前記シャッター回動要素は、シャッター９の回動動作を行なわせるためのガイド突起９２（以下単に「シャッター回動ガイド突起」という）と前記シャッター９の回動動作を規制するためのストッパー９３と、シャッター９の回動を付勢するスプリング１６と、前記スプリングを懸止するスプリング懸止部９５とで構成されている。ここで、シャッター回動ガイド突起９２とストッパー９３およびスプリング１６の一端を懸止するスプリング懸止部９５は対向する側に位置して設けられている。またストッパー１１はシャーシ１を切り起こして形成されている。尚、ストッパー１１はシャーシ１を切り起こすことなく別途所定の位置に取付けてもよい。
【００２１】
本発明における上記シャッター回動要素からなるシャッター機構は、シャーシ１に立設された回転軸９１にシャッター９が回動可能に装着されており、該回転軸９１は光ピックアップ１０の光学ベース７の端部と当接してシャッター９の回動動作を行わせるガイド突起９２と、シャッター９の回動を規制するストッパー９３と、前記ガイド突起９２の対向側に配置したスプリング懸止部９５からなるシャッター回動要素を備え、前記ストッパー９３に当接してシャッター９の回動停止位置を規制するためのストッパー１１とスプリング懸止部１２とをシャーシ１に設け、回転軸に設けたスプリング懸止部９５とシャーシ１に設けたスプリング懸止部１２との間にスプリング１６が懸架されており、光ピックアップ１０の光学ベースの移動に伴ってスプリングの付勢によりシャッター９が対物レンズ１５を開閉するようになっている。
【００２２】
ディスクの記録再生開始前には、光ピックアップ１０がディスクの最内周側、すなわち、ターンテーブル３側で停止している。この状態では、回転軸９１に設けたシャッター回動ガイド突起９２が光学ベース７の一端に当接してターンテーブル３側に押された状態となり、スプリング１６はその付勢力に反してシャッター回動ガイド突起９２と反対位置にあるスプリング懸止部９５側に引っ張られ、シャッター９を取付けた回転軸９１には時計方向の回動力が作用する。したがって、シャッター９は対物レンズ１５を閉鎖する方向に移動して停止する。スプリング１６は付勢方向（シャーシ１に設けたスプリング懸止部１２側）に戻ろうとするが光学ベース７が停止しているのでスプリング懸止部９５側に引っ張られた状態を維持し、シャッター９も静止して対物レンズ１５の閉鎖状態を維持する（図１、図２、および図４）。
【００２３】
ディスクの情報を記録再生する場合は図３に示すように、光ピックアップ１０がディスクに記録された情報を読み取る（記録再生）ために、ディスクの外周側に送られると、シャッターの回転軸９１に設けられたシャッター回動ガイド突起９２が光ピックアップ１０の光学ベース７の一端から外れ、スプリング１６は付勢して、シャーシ１に設けられたスプリング懸止部１２側に戻るため、シャッター９は対物レンズ１５を開放する方向に移動する。
この際、回転軸９１に形成したストッパー９３がシャーシ１に設けられたストッパー１１に当接してシャッター９は回動が規制され、対物レンズは開放状態に維持される。そして、送り機構２により光ピックアップ１０がシャフト５に摺動して平行に移動しディスク内の情報の記録再生が行なわれる。
【００２４】
記録再生が終了すると、上記と逆の経路、すなわち光ピックアップ１０はシャフト５に摺動して平行に移動してターンテーブル側に送られ、光学ベース７の一端がシャッター回動ガイド突起９２を押しスプリングの付勢に反して回動し、ストッパー９３に当接しシャッター９が対物レンズ１５を覆う。記録再生状態以外では光ピックアップ１０の対物レンズ１５は、常にシャッターにより塵や埃から遮断された状態に保持される。
【００２５】
このように本発明におけるシャッター機構は、シャッター回転軸をシャーシに設けるとともに、シャッターの回動要素を回転軸に設けて光ピックアップと別離して設けたことにより、従来のシャッター機構のような光学ベースの外縁部に扇形状の案内部を設ける必要がなく、従って、保護カバーの形状、大きさ等の変更等を必要とせずシャッター機構をコンパクトに設置することができる。
【００２６】
【発明の効果】
本発明のシャッター機構は、シャッター回転軸がシャーシに立設され光ピックアップと別離しており、シャッターの回動は、従来のように光学ベースにシャッターの回動移動を案内する扇形状の案内部が不要であり、光ピックアップの移動によりシャッター回転軸に備えられた回動要素によりシャッターが対物レンズを開閉する機構となっているので、光学部分の保護カバーの形状の変更や設計変更を行なう必要がなく、従ってディスク記録再生装置を設置するキットの大きさや形状等の設計変更も必要とすることなく設置することができる利点を有する。
また上記のように構成したので、記録再生作動以外では光ピックアップの対物レンズは常にシャッターで覆われているので、塵や埃等が対物レンズに付着することがないものである。
【図面の簡単な説明】
【図１】本発明のシャッター機構を備えたディスク記録再生装置の保護カバーを取り除いた斜視図（シャッター閉鎖状態）。
【図２】本発明のシャッター機構を備えたディスク記録再生装置の保護カバーを取り除いた上面図。
【図３】本発明のシャッター機構を備えたディスク記録再生装置の保護カバーを取り除いた斜視図（シャッター開放状態）。
【図４】本発明のシャッター機構を説明するための部分拡大斜視図。
【図５】保護カバーを装着した状態の従来品のディスク記録再生装置の斜視図。
【図６】シャッター機構を有しない従来品のディスク記録再生装置の斜視図（保護カバーを取り除いた状態）。
【図７】シャッター機構を有しない従来品のディスク記録再生装置の上面図（保護カバーを取り除いた状態）。
【図８】従来のシャッター機構を備えたディスク記録再生装置の保護カバーを取り除いた状態の斜視図（シャッター開放状態）。
【図９】従来のシャッター機構を備えたディスク記録再生装置の保護カバーを取り除いた状態の上面図（シャッター閉鎖状態）。
【図１０】従来のシャッター機構を説明するための部分拡大斜視図。
【符号の説明】
１……シャーシ
１１…シャーシに設けられたストッパー
１２…スプリング懸止部
１５…対物レンズ
１６…スプリング
２……送り機構
２０、２１、２２……ギヤ、２３……直線ギヤ
３……ターンテーブル
４……ラック部
５……シャフト
６……保護カバー、６１…長穴
７……光学ベース
８……光学系保護カバー、８１…レンズ窓部、
８２…スプリング懸止部、８３…扇形状案内部、８４…ストッパー
９……シャッター
９１…回転軸、９２…シャッター回動ガイド突起、９３…ストッパー、
９４…シャッター脚部、９５…スプリング懸止部
１０…光ピックアップ
３０…シャッター、３１…回転軸、３２…シャッター脚部、
３３…突起、３４…断面形状コ字型のガイド部、
３５…スプリング懸止部
【図１】
0004088468.tif 000002
【図２】
0004088468.tif 000003
【図３】
0004088468.tif 000004
【図４】
0004088468.tif 000005
【図５】
0004088468.tif 000006
【図６】
0004088468.tif 000007
【図７】
0004088468.tif 000008
【図８】
0004088468.tif 000009
【図９】
0004088468.tif 000010
【図１０】
0004088468.tif 000011